(57)【要約】    【課題】  レンズ系全体が小型で、広画角で、しかも全ズーム範囲において高い光学性能が容易に得られるズームレンズを得ること。    【解決手段】  物体側から像側へ順に配置された、負の屈折力の第１レンズ群、一つ以上のレンズ群を含む中間群、後群より構成され、ズーミングに際して隣り合うレンズ群の間隔が変化するズームレンズであって、第１レンズ群は２枚以上の負レンズと、１枚以上の正レンズを有し、後群は最も像側に負の屈折力のレンズ要素ｎｒを有し、材料のｄ線、Ｃ線、ｔ線、Ｆ線での屈折率をそれぞれｎｄ、ｎＣ、ｎｔ、ｎＦとし、材料のアッベ数νｄ、部分分散比θｃｔ、レンズ要素ｎｒの材料のアッベ数と部分分散比νｄｎｒ、θＣｔｎｒを各々適切に設定する。【選択図】    図１
2019061005.tif 000002
【特許請求の範囲】
【請求項１】
開口絞りと、物体側から像側へ順に配置された負の屈折力の第１レンズ群、一つ以上のレンズ群を含む中間群、後群より構成され、ズーミングに際して隣り合うレンズ群の間隔が変化するズームレンズであって、
前記第１レンズ群は２枚以上の負レンズ及び１枚以上の正レンズを有し、
前記後群は最も像側に配置された負の屈折力のレンズ要素ｎｒを有し、
前記レンズ要素ｎｒのアッベ数及び部分分散比を各々νｄｎｒ、θＣｔｎｒとするとき、
１０＜νｄｎｒ＜３３
０．４５＜θＣｔｎｒ＜０．７８
なる条件式を満足することを特徴とするズームレンズ。
【請求項２】
前記第１レンズ群の焦点距離をｆ１、広角端における全系の焦点距離をｆｗとするとき、
−６．０＜ｆ１／ｆｗ＜−２．０
なる条件式を満足することを特徴とする請求項１に記載のズームレンズ。
【請求項３】
前記開口絞りは前記第１レンズ群よりも像側に配置されており、該開口絞りの像側に隣接して配置された正の屈折力のレンズ群ＬＰを有し、該レンズ群ＬＰは広角端から望遠端へのズーミングに際して物体側へ移動し、前記レンズ群ＬＰの焦点距離をｆｐ、広角端における全系の焦点距離をｆｗとするとき、
１．５＜ｆｐ／ｆｗ＜５．０
なる条件式を満足することを特徴とする請求項１または２に記載のズームレンズ。
【請求項４】
前記後群の焦点距離をｆｎ、前記レンズ要素ｎｒの焦点距離をｆｎｒとするとき、
０．５０＜｜ｆｎｒ／ｆｎ｜＜３．０
なる条件式を満足することを特徴とする請求項１乃至３のいずれか１項に記載のズームレンズ。
【請求項５】
前記第１レンズ群に含まれる正レンズのアッベ数及び屈折率を各々νｄ１ｐ、Ｎｄ１ｐとするとき、
１２＜νｄ１ｐ＜２８
１．７５＜Ｎｄ１ｐ＜２．２０
なる条件式を満足することを特徴とする請求項１乃至４のいずれか１項に記載のズームレンズ。
【請求項６】
前記開口絞りは前記第１レンズ群よりも像側に配置されており、該開口絞りの物体側に位置するレンズ群を前方レンズ群、前記開口絞りの像側に位置するレンズ群を後方レンズ群とし、広角端における前記前方レンズ群の焦点距離をｆＡｗ、広角端における前記後方レンズ群の焦点距離をｆＢｗとするとき、
−１．２＜ｆＡｗ／ｆＢｗ＜−０．４０
なる条件式を満足することを特徴とする請求項１乃至５のいずれか１項に記載のズームレンズ。
【請求項７】
前記第１レンズ群よりも像側に配置された開口絞りを有し、該開口絞りの像側に隣接して配置された正の屈折力のレンズ群ＬＰを含み、該レンズ群ＬＰは広角端から望遠端へのズーミングに際して物体側へ移動し、前記レンズ群Ｌｐは複数の正レンズを有し、該複数の正レンズのアッベ数のうち最も大きいアッベ数をνｄｐ１、２番目に大きいアッベ数をνｄｐ２とするとき、
７５＜（νｄｐ１＋νｄｐ２）／２＜９６
なる条件式を満足することを特徴とする請求項１乃至６のいずれか１項に記載のズームレンズ。
【請求項８】
前記中間群は負の屈折力の第２レンズ群より構成され、前記後群は正の屈折力の第３レンズ群より構成されることを特徴とする請求項１乃至７のいずれか１項に記載のズームレンズ。
【請求項９】
無限遠から近距離へのフォーカシングに際して前記第２レンズ群は物体側へ移動することを特徴とする請求項８に記載のズームレンズ。
【請求項１０】
前記中間群は物体側から像側へ順に配置された負の屈折力の第２レンズ群、正の屈折力の第３レンズ群より構成され、前記後群は負の屈折力の第４レンズ群より構成されることを特徴とする請求項１乃至７のいずれか１項に記載のズームレンズ。
【請求項１１】
無限遠から近距離へのフォーカシングに際して前記第４レンズ群は像側へ移動することを特徴とする請求項１０に記載のズームレンズ。
【請求項１２】
前記中間群は正の屈折力の第２レンズ群より構成され、前記後群は負の屈折力の第３レンズ群より構成されることを特徴とする請求項１乃至７のいずれか１項に記載のズームレンズ。
【請求項１３】
無限遠から近距離へのフォーカシングに際して前記第３レンズ群は像側へ移動することを特徴とする請求項１２に記載のズームレンズ。
【請求項１４】
請求項１乃至１３のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズに関し、特に、監視カメラ、デジタルカメラ、ビデオカメラ、放送用カメラ等の撮像装置に用いる撮像光学系として好適なものである。
【背景技術】
【０００２】
撮像装置に用いられるズームレンズは、撮像素子の高精細化に対応できる高い光学性能を有し、かつ広画角であることが要望されている。また、監視カメラなどの撮像装置は、昼間の撮像には可視光を使用し、夜間の撮像には近赤外光を使用している。
【０００３】
例えば監視カメラにおいては、多くの場合、夜間の撮影では波長８００ｎｍ〜波長１０００ｎｍの近赤外光を利用して低照度下での撮影が容易となるようにしている。このため、監視カメラに用いられるズームレンズには、可視光（波長４００ｎｍ〜波長７００ｎｍ程度）から近赤外領域までの広い波長範囲において諸収差が良好に補正されたズームレンズであること等が要望されている。
【０００４】
従来、ズームレンズとして、最も物体側に負の屈折力のレンズ群が配置されたネガティブリード型のズームレンズが知られている（特許文献１、２）。
【０００５】
特許文献１では、物体側より像側へ順に、負、正、負の屈折力の第１レンズ群乃至第３レンズ群より構成され、ズーミングに際して隣り合うレンズ群の間隔が変化する３群ズームレンズを開示している。特許文献２では、物体側より像側へ順に、負、負、正、負の屈折力の第１レンズ群乃至第４レンズ群より構成され、ズーミングに際して隣り合うレンズ群の間隔が変化する４群ズームレンズを開示している。
【０００６】
この他、ネガティブリード型で可視光から近赤外域の広い波長域にわたり良好に収差補正されたズームレンズが知られている（特許文献３）。特許文献３では、物体側より像側へ順に、負、正、負の屈折力の第１レンズ群乃至第３レンズ群より構成され、ズーミングに際して隣り合うレンズ群の間隔が変化する３群ズームレンズを開示している。
【先行技術文献】
【特許文献】
【０００７】
【特許文献１】特開２００７−２３３０４５号公報
【特許文献２】特開２０１４−２１９５４３号公報
【特許文献３】特開２０１６−１４５９２８号公報
【発明の概要】
【発明が解決しようとする課題】
【０００８】
前述したネガティブリード型のズームレンズにおいて、全系が小型で、かつ広画角でありながら全ズーム領域にわたり高い光学性能を得るには各レンズ群のレンズ構成を適切に設定することが重要になってくる。例えば監視カメラに用いられるズームレンズでは、可視域から近赤外域までの広い波長範囲にわたり、諸収差のうち、特に色収差が良好に補正された高い光学性能を有することが重要になってくる。
【０００９】
ネガティブリード型のズームレンズにおいて、広い波長範囲において倍率色収差を良好に補正し、高い光学性能を得るには、第１レンズ群のレンズ構成及び最も像側に配置されるレンズ群に用いるレンズの材料等を適切に設定することが重要になってくる。これらの構成が不適切であると、全系の小型化を図りつつ、広画角で、広い波長範囲にわたり高い光学性能のズームレンズを得るのが大変困難になってくる。
【００１０】
本発明は、レンズ系全体が小型で、広画角で、しかも全ズーム範囲において高い光学性能が容易に得られるズームレンズ及びそれを有する撮像装置の提供を目的とする。
【課題を解決するための手段】
【００１１】
本発明のズームレンズは、物体側から像側へ順に配置された、負の屈折力の第１レンズ群、一つ以上のレンズ群を含む中間群、後群より構成され、ズーミングに際して隣り合うレンズ群の間隔が変化するズームレンズであって、
前記第１レンズ群は２枚以上の負レンズと、１枚以上の正レンズを有し、前記後群は最も像側に負の屈折力のレンズ要素ｎｒを有し、材料のｄ線、Ｃ線、ｔ線、Ｆ線での屈折率をそれぞれｎｄ、ｎＣ、ｎｔ、ｎＦとし、材料のアッベ数νｄ、部分分散比θｃｔをそれぞれ、
νｄ＝（ｎｄ−１）／（ｎＦ−ｎＣ）
θＣｔ＝（ｎＣ−ｎｔ）／（ｎＦ−ｎＣ）
前記レンズ要素ｎｒの材料のアッベ数と部分分散比を各々νｄｎｒ、θＣｔｎｒとするとき、
１０．０＜νｄｎｒ＜３３．０
０．４５＜θＣｔｎｒ＜０．７８
なる条件式を満足することを特徴としている。
【発明の効果】
【００１２】
本発明によれば、レンズ系全体が小型で、広画角で、しかも全ズーム範囲において高い光学性能が容易に得られるズームレンズ及びそれを有する撮像装置が得られる。
【図面の簡単な説明】
【００１３】
【図１】実施例１の広角端におけるレンズ断面と移動軌跡の図
【図２】（Ａ）、（Ｂ）、（Ｃ）  実施例１の広角端、中間のズーム位置、望遠端における収差図
【図３】実施例２の広角端におけるレンズ断面と移動軌跡の図
【図４】（Ａ）、（Ｂ）、（Ｃ）  実施例２の広角端、中間のズーム位置、望遠端における収差図
【図５】実施例３の広角端におけるレンズ断面と移動軌跡の図
【図６】（Ａ）、（Ｂ）、（Ｃ）  実施例３の広角端、中間のズーム位置、望遠端における収差図
【図７】実施例４の広角端におけるレンズ断面と移動軌跡の図
【図８】（Ａ）、（Ｂ）、（Ｃ）  実施例４の広角端、中間のズーム位置、望遠端における収差図
【図９】本発明の監視カメラ（撮像装置）におけるレンズ断面図
【図１０】本発明の監視カメラにおける要部外略図
【図１１】（Ａ）、（Ｂ）  ガラス特性（商品名Ｓ−ＮＰＨ１、商品名Ｓ−ＬＡＨ５３）の説明図
【図１２】実施例１の広角端および望遠端における光路に関する説明図
【発明を実施するための形態】
【００１４】
以下、本発明のズームレンズ及びそれを有する撮像装置を図面に基づいて説明する。本発明のズームレンズは、物体側から像側へ順に配置された、負の屈折力の第１レンズ群、一つ以上のレンズ群を含む中間群、後群より構成され、ズーミングに際して隣り合うレンズ群の間隔が変化する。
【００１５】
図１は本発明の実施例１のズームレンズの広角端（短焦点距離端）におけるレンズ断面図である。図２（Ａ）、（Ｂ）、（Ｃ）は本発明の実施例１のズームレンズの広角端、中間のズーム位置、望遠端（長焦点距離端）における収差図である。
【００１６】
実施例１はズーム比２．９０、Ｆナンバー１．６７〜２．９７のズームレンズである。図３は本発明の実施例２のズームレンズの広角端におけるレンズ断面図である。図４（Ａ）、（Ｂ）、（Ｃ）は本発明の実施例２のズームレンズの広角端、中間のズーム位置、望遠端における収差図である。実施例２はズーム比２．３、Ｆナンバー１．２８〜１．６４のズームレンズである。
【００１７】
図５は本発明の実施例３のズームレンズの広角端におけるレンズ断面図である。図６（Ａ）、（Ｂ）、（Ｃ）は本発明の実施例３のズームレンズの広角端、中間のズーム位置、望遠端における収差図である。実施例３はズーム比２．６、Ｆナンバー１．３５〜２．４０のズームレンズである。
【００１８】
図７は本発明の実施例４のズームレンズの広角端におけるレンズ断面図である。図８（Ａ）、（Ｂ）、（Ｃ）は本発明の実施例４のズームレンズの広角端、中間のズーム位置、望遠端における収差図である。実施例４はズーム比２．３、Ｆナンバー１．２４〜１．６８のズームレンズである。
【００１９】
図９は本発明のズームレンズをドームに収納したときのレンズ断面図である。図１０は本発明のズームレンズを有する監視カメラ（撮像装置）の要部概略図である。図１１（Ａ）、（Ｂ）は本発明のズームレンズに用いた材料（光学材料）の特性の説明図である。図１２（Ａ）、（Ｂ）は実施例１のズームレンズの広角端、望遠端における光路図である。
【００２０】
各実施例のズームレンズは撮像装置に用いられる撮像光学系であり、レンズ断面図において、左方が物体側（前方）で、右方が像側（後方）である。尚、各実施例のズームレンズをプロジェクター等の光学機器に用いても良く、このときは、左方がスクリーン、右方が被投影画像となる。レンズ断面図において、Ｌ０はズームレンズである。
【００２１】
ＬＭは一つ以上のレンズ群を有する中間群である。ＬＲは最も像側に位置する後群である。Ｌｉは第ｉレンズ群である。Ｌ１は負の屈折力（光学的パワー＝焦点距離の逆数）の第１レンズ群である。ＳＰは開放Ｆナンバー（Ｆｎｏ）光束を決定（制限）する開口絞りの作用をするＦナンバー決定部材（以下「開口絞り」ともいう。）である。Ｌｐは開口絞りＳＰの像側に隣接して配置される正の屈折力のレンズ群である。
【００２２】
Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００２３】
矢印は広角端から望遠端へのズーミングに際しての各レンズ群の移動軌跡を示している。フォーカスに関する矢印Ｆａは無限遠にフォーカスしているときの広角端から望遠端へのズーミングに際してのレンズ群の移動軌跡を示す。また矢印Ｆｂは近距離にフォーカスしているときの広角端から望遠端へのズーミングに際してのレンズ群の移動軌跡を示す。矢印Ｆｃは無限遠から近距離へのフォーカシングに際してのレンズ群の移動方向を示している。
【００２４】
図７におけるフォーカスに関する矢印Ｆは無限遠から近距離へのフォーカシングに際しての移動方向を示す。
【００２５】
球面収差においては、ｄはｄ線（波長５８７．６ｎｍ）、ＣはＣ線（波長６５６．３ｎｍ）、ＦはＦ線（波長４８６．１３ｎｍ）、ｔはｔ線（波長１０１３．９８ｎｍ）を表示している。非点収差においてΔＭはｄ線のメリディオナル像面、ΔＳはｄ線のサジタル像面を表している。歪曲収差においてはｄ線を表示している。倍率色収差においてはｄ線に対するＣ線、Ｆ線、ｔ線の収差を表示している。ＦｎｏはＦナンバー、ωは半画角（度）である。
【００２６】
本発明のズームレンズは３つ以上のレンズより構成されている。全系の小型化を図りつつも広角端から望遠端までの全ズーム範囲にわたり高い光学性能を得るために、各レンズ群の間隔を変化させて変倍を行うための好適なレンズ構成としている。また、広角端において広画角化を達成するために、最も物体側のレンズ群が負の屈折力となる所以ネガティブリードタイプを採用している。そして第１レンズ群に、強い負の屈折力を持たせるために負レンズが多いレンズ構成をとっている。
【００２７】
また、可視領域のみではなく近赤外領域までを含めて倍率色収差を良好に補正するために、これまでとは異なる材料よりなるレンズ構成をとっている。これに関し、図１１（Ａ）、（Ｂ）、図１２を用いて説明する。
【００２８】
本発明のズームレンズにおいては、最も像側に負の屈折力のレンズ要素（レンズエレメント）ｎｒを有し、レンズ要素ｎｒは可視領域に対し近赤外領域の屈折率の差が比較的大きくなる（分散性が大きくなる）特徴を有している。これは、近赤外領域の材料における屈折率が可視光での屈折率に対してなるべく低いほうが良いためである。
【００２９】
その理由は、レンズ全系において近赤外光は可視光に対してオーバー側（倍率色収差図ではプラス方向）へ結像する。このため、これを補正するにはレンズ要素ｎｒにおいて、近赤外光の屈折率が小さくなる分散性を有するのが良いためである。そのため、ｄ線（波長５８７．６ｎｍ）を基準としてｔ線（波長１０１３．９８ｎｍ）の分散が大きくなる材料を選択するのが良く、具体的にはアッベ数νｄが小さくなる材料を選択するのが良い。
【００３０】
部分分散比θｃｔに関しては、アッベ数νｄに応じて変化する一般的な特性（図１１（Ｂ）のオハラ（株）発行マップより）に示されるように小さくなる材料を選択するのが良い。図１１（Ｂ）はアッベ数νｄと部分分散比θｃｔを示す。
【００３１】
次に図１１（Ａ）を使用し、ｄ線の屈折率がほぼ同一で異なる分散性を有する硝材としてＯＨＡＲＡ（株）の２種（商品名Ｓ−ＮＰＨ１と商品名Ｓ−ＬＡＨ５３）を例にあげてその原理を説明する。
【００３２】
図１１（Ａ）は、各波長における屈折率の変化を示している。表はｄ線（波長５８７．５６ｎｍ）、Ｆ線（波長４８６．１３ｎｍ）、Ｃ線（波長６５６．２７ｎｍ）、ｔ線（波長１０１３．９８ｎｍ）の屈折率、ｎｄ、ｎＦ、ｎＣ、ｎｔおよびアッベ数νｄ、部分分散比θＣｔを示している。
【００３３】
商品名Ｓ−ＮＰＨ１は分散性が大きく（アッベ数が小さく）、ｄ線に対するｔ線の屈折率が商品名Ｓ−ＬＡＨ５３よりも小さくなる。これは商品名Ｓ−ＮＰＨ１のほうがよりｄ線に対する近赤外領域の分散性が大きい特性を有しているためである。これにより商品名Ｓ−ＮＰＨ１を選択すればｄ線の屈折率を同レベルとしつつも、分散特性により近赤外のオーバー方向への倍率色収差量が抑えられる。結果として可視光領域に対する近赤外領域の倍率色収差が抑えることができる。
【００３４】
通常、カラー画像のみによる撮像であれば長波長領域においてはＣ線の波長レベルまでを考慮しておけば良いが、波長１０００ｎｍ程度の近赤外光までを考慮するに際し、上述した原理を利用しその効果を得ている。最も像面に近い位置の負の屈折力のレンズ要素ｎｒに上記特性を有しているのは、図１２（Ａ）、（Ｂ）に示すように、広角端から望遠端の各像高でレンズ要素ｎｒの通過光路領域に差が生じにくい。このためズーム全域の倍率色収差を効率的に補正するためである。
【００３５】
ここで最も像側の負の屈折力のレンズ要素ｎｒとは、単レンズもしくは接合レンズによる全体として負の屈折力を有するエレメントを意味している。
【００３６】
本発明は、全系が小型でありながら全ズーム範囲にわたり高い光学性能を有し、特に可視光から近赤外光に至る広い波長範囲において倍率色収差の少ない、広画角の小型のズームレンズである。本発明のズームレンズは、物体側から像側へ順に配置された、負の屈折力の第１レンズ群Ｌ１、一つ以上のレンズ群を含む中間群ＬＭ、後群ＬＲより構成されている。
【００３７】
第１レンズ群Ｌ１は２枚以上の負レンズと、１枚以上の正レンズを有し、後群ＬＲは最も像側に負の屈折力のレンズ要素ｎｒを有している。材料のｄ線、Ｃ線、ｔ線、Ｆ線での屈折率をそれぞれｎｄ、ｎＣ、ｎｔ、ｎＦとする。材料のアッベ数νｄ、部分分散比θｃｔをそれぞれ、
【００３８】
νｄ＝（ｎｄ−１）／（ｎＦ−ｎＣ）
θＣｔ＝（ｎＣ−ｎｔ）／（ｎＦ−ｎＣ）
とおく。そしてレンズ要素ｎｒの材料のアッベ数と部分分散比を各々νｄｎｒ、θＣｔｎｒとするとき、
【００３９】
１０．０＜νｄｎｒ＜３３．０    ・・・（１）
０．４５＜θＣｔｎｒ＜０．７８  ・・・（２）
なる条件式を満足する。
【００４０】
次に前述の各条件式の技術的意味について説明する。条件式（１）、（２）は可視領域から近赤外領域までの倍率色収差を良好に補正するためのものである。条件式（１）の上限を超えると、近赤外における屈折率が大きくなる材料を選択することになるため可視光に対する近赤外の倍率色収差が大きくなり好ましくない。条件式（１）の下限を超えると、可視光に対する近赤外の倍率色収差の補正としては過剰となってしまい、倍率色収差量が増大することになり好ましくない。
【００４１】
条件式（２）の上限を超えると、Ｃ線に対するｔ線の分散が小さい材料を選択することになり倍率色収差の補正が不足してしまい好ましくない。条件式（２）の下限を超えると、Ｃ線に対するｔ線の分散が大きな材料を選択することなり倍率色収差の補正が過剰になり、倍率色収差が増大することになるので好ましくない。
【００４２】
条件式（１）、（２）に関しては、以下の如く限定するとより好ましい。
１５．０＜νｄ＜３１．０    ・・・（１ａ）
０．６０＜θＣｔ＜０．７２  ・・・（２ａ）
【００４３】
各実施例において、更に好ましくは次の諸条件のうちの一つ以上を満足するのが良い。第１レンズ群Ｌ１の焦点距離をｆ１、広角端における全系の焦点距離をｆｗとする。ズームレンズは開口絞りＳＰを有し、開口絞りＳＰの像側に隣接して正の屈折力のレンズ群ＬＰを有する。レンズ群ＬＰは広角端から望遠端へのズーミングに際して物体側へ移動し、レンズ群ＬＰの焦点距離をｆｐとする。後群ＬＲの焦点距離をｆｎ、レンズ要素ｎｒの焦点距離をｆｎｒとする。
【００４４】
第１レンズ群Ｌ１に含まれる正レンズの材料のアッベ数をνｄ１ｐ、第１レンズ群Ｌ１に含まれる正レンズの材料の屈折率をＮｄ１ｐとする。開口絞りＳＰの物体側に位置する全てのレンズ群を前方レンズ群、開口絞りＳＰの像側に位置する全てのレンズ群を後方レンズ群とする。広角端における前方レンズ群の焦点距離をｆＡｗ、広角端における後方レンズ群の焦点距離をｆＢｗとする。
【００４５】
レンズ群Ｌｐは複数の正レンズを有し、複数の正レンズの材料のアッベ数のうち最も大きいアッベ数をνｄｐ１、２番目に大きいアッベ数をνｄｐ２とする。このとき、次の条件式のうち一つ以上を満足するのが良い。
【００４６】
−６．０＜ｆ１／ｆｗ＜−２．０                  ・・・（３）
１．５＜ｆｐ／ｆｗ＜５．０                      ・・・（４）
０．５０＜｜ｆｎｒ／ｆｎ｜＜３．００            ・・・（５）
１２．０＜νｄ１ｐ＜２８．０                    ・・・（６）
１．７５＜Ｎｄ１ｐ＜２．２０                    ・・・（７）
−１．２＜ｆＡｗ／ｆＢｗ＜−０．４              ・・・（８）
７５．０＜（νｄｐ１＋νｄｐ２）／２＜９６．０  ・・・（９）
【００４７】
次に前述の各条件式の技術的意味について説明する。条件式（３）は全系の小型化を図りつつ広画角化を図るためのものである。条件式（３）の上限値を超えると、第１レンズ群Ｌ１の負の屈折力が強くなりすぎて（負の屈折力の絶対値が大きくなりすぎて）しまい、ズーム全域において像面湾曲や倍率色収差の補正が困難になる。条件式（３）の下限値を超えると、第１レンズ群Ｌ１の負の屈折力が弱くなりすぎて（負の屈折力の絶対値が小さくなりすぎて）しまい、広画角化が困難となる。
【００４８】
更にズーミングに際しての第１レンズ群Ｌ１の移動量が増大し、レンズ全長が長くなるとともに前玉有効径が大型化して、全系の小型化が困難になる。
【００４９】
条件式（４）は、広角端における全系の焦点距離と変倍用のレンズ群となるレンズ群Ｌｐの屈折力の関係を適切に設定し、全系の小型化を図りつつ、ズーム全域において高い光学性能を得るためのものである。条件式（４）の上限を超えると、レンズ群Ｌｐの正の屈折力が弱くなりすぎてしまい、ズーミングに際してのレンズ群Ｌｐの移動量が増加し、全系の小型化が困難になる。
【００５０】
条件式（４）の下限を超えると、レンズ群Ｌｐの正の屈折力が強くなりすぎてしまい大口径化（ＦＮＯを小さくしたとき）を図る際に球面収差の補正が困難になる。なお、開口絞りＳＰに関しては、軸外光束が蹴らずに軸上光束（ＦＮＯ）を制御しやすくするために、変倍用のレンズ群の物体側の位置に置いている。
【００５１】
条件式（５）は、最も像側に位置する負の屈折力のレンズ要素ｎｒの負の屈折力に関する。レンズ要素ｎｒは最も像側に近い位置となるため所望の像高を確保するためには光線を跳ね上げる必要があるため、条件式（５）はその屈折力を規定している。
【００５２】
条件式（５）の上限を超えると、後群ＬＲの屈折力が弱くなりすぎるためレンズ厚やレンズ径を大きくすることが必要となる。そうすると全系の小型化が困難になる。条件式（５）の下限を超えると、後群ＬＲの屈折力が強くなりすぎてしまうため光線の跳ね上げが急激となり撮像素子への光線の入射角度が大きくなりすぎてしまう。そうすると最周辺像高において光量を十分確保しにくくなるため光学性能が低下してくる。
【００５３】
条件式（６）、（７）は、第１レンズ群Ｌ１に含まれる正レンズの材料の特性を規定している。条件式（６）は、色収差の補正に関し、第１レンズ群Ｌ１に含まれる負レンズから発生する色収差を補正するためのものである。条件式（６）の上限を超えると、倍率色収差の補正が不足してしまう。条件式（６）の下限を超えると、倍率色収差の補正量が大きくなりすぎてしまい逆方向に低下してしまい光学性能が低下してくる。
【００５４】
条件式（７）の上限を超えると、屈折率が大きくなりすぎてしまい球面収差や軸上色収差をバランス良く補正するのが困難になる。条件式（７）の下限を超えると、望遠端において球面収差が補正不足となり好ましくない。さらに、正レンズの屈折力を得るためにレンズ厚を大きくとる必要が生じ、全系の小型化が困難になる。
【００５５】
条件式（８）は、広画角化を達成させるための屈折力配置に関する。各実施例は３つ以上のレンズ群からなるレンズ構成よりなり、広画角化に好適なレトロフォーカスタイプを採用しており、開口絞りＳＰを基準に物体側に負の屈折力の前方レンズ群、像側に正の屈折力の後方レンズ群よりなっている。広角化のためには前方レンズ群の負の屈折力を強くしておく必要がある。
【００５６】
条件式（８）の上限を超えると、前方レンズ群の負の屈折力が強くなりすぎてしまい、ズーム全域において像面湾曲や色収差の補正が困難になる。条件式（８）の下限を超えると、第１レンズ群Ｌ１の負の屈折力が弱くなりすぎてしまい、広画角化が困難となる。更にズーミングに際して第１レンズ群Ｌ１の移動量が増大し、レンズ全長が長くなり、また前玉有効径が大型化して全系の小型化が困難になる。
【００５７】
条件式（９）は、軸上色収差を補正するためのレンズ群Ｌｐが有する正レンズの材料に関する。軸上色収差が大きくなると色にじみの発生や解像が落ちやすくなってしまう。そこで、この条件式（９）を満たすような材料を使用することにより軸上色収差を効果的に補正している。
【００５８】
条件式（９）の上限を超えると、超低分散系の材料を使用することになりこれにより一般に存在する材料としては低屈折率となる傾向がある。このためレンズとしての屈折力を確保しにくくなる。これによりレンズ厚を大きくとるなどの処置が必要となり全系の小型化が困難になる。条件式（９）の下限を超えると、色収差の補正が不足するので良くない。
【００５９】
更に好ましくは条件式（３）乃至（９）の数値範囲を次の如く設定するのが良い。
−５．７＜ｆ１／ｆｗ＜−２．８                  ・・・（３ａ）
１．８＜ｆｐ／ｆｗ＜４．３                      ・・・（４ａ）
０．７＜｜ｆｎｒ／ｆｎ｜＜２．２                ・・・（５ａ）
１３．０＜νｄ１ｐ＜２４．０                    ・・・（６ａ）
１．７８＜Ｎｄ１ｐ＜２．０５                    ・・・（７ａ）
−１．０＜ｆＡｗ／ｆＢｗ＜−０．５              ・・・（８ａ）
７８．０＜（νｄｐ１＋νｄｐ２）／２＜９０．０  ・・・（９ａ）
【００６０】
次に各実施例のズームレンズのレンズ構成について説明する。実施例１のズームレンズは物体側から像側へ順に配置された負の屈折力の第１レンズ群Ｌ１、負の屈折力の第２レンズ群Ｌ２、開口絞りＳＰ、正の屈折力の第３レンズ群Ｌ３より構成される。無限遠から近距離へのフォーカシングに際して第２レンズ群Ｌ２は物体側へ移動する。
【００６１】
第２レンズ群Ｌ２は中間群ＬＭに相当する。第３レンズ群Ｌ３は後群ＬＲ及びレンズ群Ｌｐに相当する。第１レンズ群Ｌ１と第２レンズ群Ｌ２は前方レンズ群に相当する。第３レンズ群Ｌ３は後方レンズ群に相当する。
【００６２】
第１レンズ群Ｌ１は、物体側が凸面のメニスカス形状の負レンズＧ１１、両凹形状の負レンズＧ１２、像側が凸面のメニスカス形状の負レンズＧ１３、物体側が凸面のメニスカス形状の正レンズＧ１４により成っている。正レンズＧ１４には倍率色収差を補正するために、比較的高分散性を有する材料を使用している。
【００６３】
第２レンズ群Ｌ２は、像側が凸面のメニスカス形状の負レンズＧ２１により成っている。負レンズＧ２１にはフォーカシングによる倍率色収差の変動を抑えるために、比較的低分散性を有する材料を使用している。
【００６４】
第３レンズ群Ｌ３は、両凸形状の正レンズＧ３１、両凸形状の正レンズＧ３２、両凹形状の負レンズＧ３３、両凸形状の正レンズＧ３４、像側が凸面のメニスカス形状の正レンズＧ３５、像側が凸面のメニスカス形状の負レンズＧ３６により成っている。負レンズＧ３２と正レンズＧ３３は接合した接合レンズよりなり、材料のアッベ数の差を持たせることにより色収差を良好に補正している。
【００６５】
さらに正レンズＧ３２に低分散性（アッベ数の大きい）の材料を使用することにより、軸上色収差をより良好に補正している。また正レンズＧ３１、正レンズＧ３４の両面は非球面形状である。これはＦＮＯ（Ｆナンバー）を決定する軸上光束が広がる第３レンズ群Ｌ３に非球面を適切に配置し、大口径化で増加しやすい球面収差を良好に補正している。
【００６６】
負レンズＧ３６には、比較的高分散性を有する材料を使用しており、近赤外の波長においてｄ線に対してオーバーへ出やすい倍率色収差をアンダー方向へ補正している。開口絞りＳＰに関しては第３レンズ群Ｌ３の物体側に設置しており、ズーミングに際して第３レンズ群Ｌ３とともに移動させている。
【００６７】
実施例２のズームレンズは物体側から像側へ順に配置された負の屈折力の第１レンズ群Ｌ１、負の屈折力の第２レンズ群Ｌ２、開口絞りＳＰ、正の屈折力の第３レンズ群Ｌ３、負の屈折力の第４レンズ群Ｌ４より構成される。無限遠から近距離へのフォーカシングに際して第４レンズ群Ｌ４は像側へ移動する。第２レンズ群Ｌ２と第３レンズ群Ｌ３は中間群ＬＭに相当する。第４レンズ群Ｌ４は後群ＬＲ及びレンズ群Ｌｐに相当する。第１レンズ群Ｌ１と第２レンズ群Ｌ２は前方レンズ群に相当する。第３レンズ群Ｌ３と第４レンズ群Ｌ４は後方レンズ群に相当する。
【００６８】
第１レンズ群Ｌ１は、物体側が凸面のメニスカス形状の負レンズＧ１１、両凹形状の負レンズＧ１２、物体側が凸面のメニスカス形状の正レンズＧ１３、両凸形状の正レンズＧ１４により成っている。
【００６９】
第２レンズ群Ｌ２は、像側が凸面のメニスカス形状の負レンズＧ２１により成っている。第３レンズ群Ｌ３は、両凸形状の正レンズＧ３１、両凸形状の正レンズＧ３２、両凹形状の負レンズＧ３３、両凸形状の正レンズＧ３４により成っている。負レンズＧ３２と正レンズＧ３３は接合した接合レンズよりなっている。また正レンズＧ３１、正レンズＧ３４の両面は非球面形状である。
【００７０】
第４レンズ群Ｌ４は、物体側が凸面のメニスカス形状の正レンズＧ４１により成っている。開口絞りＳＰに関しては第３レンズ群Ｌ３の最も物体側に設置しており、ズーミングに際して第３レンズ群Ｌ３とともに移動させている。以上のレンズ構成により実施例１と同様の効果を得ている。
【００７１】
実施例３、４のズームレンズは物体側から像側へ順に配置された負の屈折力の第１レンズ群Ｌ１、開口絞りＳＰ、正の屈折力の第２レンズ群Ｌ２、負の屈折力の第３レンズ群Ｌ３より構成される。無限遠から近距離へのフォーカシングに際して第３レンズ群Ｌ３は像側へ移動する。
【００７２】
第２レンズ群Ｌ２は中間群ＬＭ及びレンズ群Ｌｐに相当する。第３レンズ群Ｌ３は後群ＬＲに相当する。第１レンズ群Ｌ１は前方レンズ群に相当する。第２レンズ群Ｌ２と第３レンズ群Ｌ３は後方レンズ群に相当する。
【００７３】
実施例３において、第１レンズ群Ｌ１は、物体側が凸面のメニスカス形状の負レンズＧ１１、両凹形状の負レンズＧ１２、物体側が凸面のメニスカス形状の正レンズＧ１３、物体側が凸面のメニスカス形状の正レンズＧ１４により成っている。第２レンズ群Ｌ２は、両凸形状の正レンズＧ２１、両凸形状の正レンズＧ２２、両凹形状の負レンズＧ２３、両凸形状の正レンズＧ２４により成っている。また正レンズＧ２１と、正レンズＧ２４の両面は非球面形状である。
【００７４】
第３レンズ群Ｌ３は、物体側が凸面のメニスカス形状の正レンズＧ３１により成っている。開口絞りＳＰに関しては第２レンズ群Ｌ２の最も物体側に設置しており、ズーミングに際して不動である。
【００７５】
実施例４において、第１レンズ群Ｌ１は、物体側が凸面のメニスカス形状の負レンズＧ１１、両凹形状の負レンズＧ１２、両凸形状の正レンズＧ１３、物体側が凸面のメニスカス形状の正レンズＧ１４により成っている。
【００７６】
第２レンズ群Ｌ２は、両凸形状の正レンズＧ２１、両凸形状の正レンズＧ２２、両凹形状の負レンズＧ２３、両凸形状の正レンズＧ２４により成っている。また正レンズＧ２１と、正レンズＧ２４の両面は非球面形状である。第３レンズ群Ｌ３は、物体側が凸面のメニスカス形状の正レンズＧ３１により成っている。開口絞りＳＰに関しては第２レンズ群Ｌ２の最も物体側に設置しており、ズーミングに際して不動である。
【００７７】
各実施例において、開口絞りＳＰはズーミングにおいて移動もしくは固定させている。尚、開口絞りＳＰを他のレンズ群と独立に移動させる構成としても良く、これによればズーミングにおいて各ズーム位置で適正にフレア光線をカットしやすくなる。
【００７８】
次に、各実施例のズームレンズを監視カメラ（撮像装置）に使用したときの実施例について図９を用いて説明する。図９において１５はドームカバー、１６は本発明に係るズームレンズである。ドームカバー１５はポリメチルメタクリレート（ＰＭＭＡ）やポリカーボネート（ＰＣ）等のプラスチック材料により数ミリ程度の厚さで成形されている。これによりドームカバー１５付きを前提とした撮像装置とするときは、ドームカバー１５の影響（焦点距離や材質）を考慮した設計とし諸収差の補正を行っても良い。
【００７９】
次に本発明のズームレンズを撮像光学系として用いた監視カメラについて、図１０を用いて説明する。図１０において、１１は監視カメラ本体、１２はカメラ本体１１に内蔵され、ズームレンズ１５によって形成された被写体像を受光するＣＣＤセンサやＣＭＯＳセンサ等の撮像素子（光電変換素子）である。
【００８０】
１３は撮像素子１２によって光電変換された被写体像に対応する情報を記録するメモリ部である。１４は撮像素子１２によって光電変換された被写体像を転送するためのネットワークケーブルである。撮像装置としては監視カメラに限定されることなく、ビデオカメラやデジタルカメラ等においても用いることができる。
【００８１】
以上のように、各実施例によれば小型でありながら広画角化を実現しつつも、可視領域から近赤外領域において倍率色収差等の諸収差を良好に補正した高い光学性能を有するズームレンズ、およびそれを有する撮像装置を得ることができる。なお各実施例においては以下のような手段構成をとっても良い。
【００８２】
・実施例に示したレンズの形状、レンズ枚数に限定されず、適宜変更すること。
・一部のレンズおよびレンズ群を光軸に対して垂直方向の成分を持つ方向に移動させ、これにより手ぶれ等の振動に伴う像ブレを補正すること。
・電気的な補正手段により、歪曲収差や色収差などを補正すること。
【００８３】
以上、本発明の好ましい実施形態について説明したが、本発明はこれらの実施形態や光学仕様（画角やＦｎｏ）に限定されず、その要旨の範囲内で種々の変形が可能である。
【００８４】
次に、各実施例に対応する実施例の数値データを示す。各実施例の数値データにおいて面番号ｉは物体側から数えた光学面の順序を示す。ｒｉは第ｉ番目の光学面の曲率半径である。ｄｉは第ｉ番目と第ｉ＋１番目の面間隔である。ｎｄｉとνｄｉはそれぞれｄ線に対する光学部材の材料の屈折率、アッベ数を示す。部分分散比θＣｔは（ｎＣ−ｎｔ）／（ｎＦ−ｎＣ）で計算される数値である。＊は非球面を意味する。
【００８５】
バックフォーカス（ＢＦ）は、レンズ最終面から近軸像面までの空気換算距離である。レンズ全長は、レンズ最前面からレンズ最終面までの距離にバックフォーカス（ＢＦ）を加えた値と定義する。またＫを離心率、Ａ４、Ａ６、Ａ８、Ａ１０、Ａ１２を非球面係数、光軸からの高さＨの位置での光軸方向の変位を面頂点を基準にしてｘとするとき、非球面形状は、
【００８６】
【数１】
2019061005.tif 000003
で表示される。但しＲは曲率半径である。また例えば「e−Ｚ」の表示は「１０−Ｚ」を意味する。また、各実施例における上述した条件式との対応を表１に示す。半画角（度）に関しては、歪曲量を考慮した撮影可能画角に関する数値である。 
【００８７】
［数値データ１］
面データ                              
面番号      r          d          nd          νd       θCt
1         31.1        1.3      1.71300       53.9      0.824 
2         13.785      9.11                  
3        -76.899      1.1      1.59522       67.7      0.795 
4         23.073      4.46                  
5        -40.92       0.8      1.60311       60.6      0.832 
6       -207.171      0.2                  
7         31.193      2.87     1.95906       17.5      0.626 
8        123.794      (可変)                  
9        -12.304      0.5      1.49700       81.5      0.826 
10      -251.222      (可変)                  
11(絞り)    ∞        0.4                  
12*       10.596      3.77     1.55332       71.7      0.816 
13*     -117.861      0.17                  
14        18.705      5        1.43700       95.1      0.843 
15        -8.802      0.45     1.91082       35.3      0.713 
16        50.28       0.48                  
17*       10.384      4.75     1.55332       71.7      0.816 
18*      -14.095      1.54                  
19       -53.218      2.04     1.94595       18        0.632 
20       -20.511      3.32                  
21        -9.979      0.5      1.71736       29.5      0.691 
22       -57.455      (可変)                  
23         ∞         2        1.54400       60      
像面       ∞         2.38                
【００８８】
非球面データ                              
第12面                              
K = 0.00000e+000  A 4=-5.76120e-005  A 6= 1.17397e-006  
A 8=-2.32279e-009   A10= 9.24800e-011             
第13面                              
K = 0.00000e+000  A 4=-1.03220e-004  A 6= 2.75895e-006  
A 8=-1.16921e-008  A10=-1.97440e-010              
第17面                              
K = 0.00000e+000  A 4=-3.98840e-004  A 6= 5.53134e-006  
A 8=-5.82520e-008  A10= 3.53103e-010              
第18面                              
K = 0.00000e+000  A 4= 1.45694e-004  A 6= 1.02875e-006  
A 8= 2.09863e-008  A10= 1.62555e-011              
各種データ                              
ズーム比    2.9                              
広角      中間       望遠            
焦点距離      5.00      9.62      14.55            
Fナンバー     1.67      2.32       2.97            
半画角（度） 71.90     33.20      21.70            
像高          5.50      5.50       5.50            
レンズ全長   70.00     65.24      66.27            
BF（in air）  6.18     12.36      18.53            
d 8           8.75      4.85       2.14            
d10          11.60      4.57       2.13            
d22           2.50      8.68      14.85         
各群焦点距離                              
群      焦点距離                        
1      -19.5                        
2      -26.05                        
3       11.37                        
単レンズデータ                              
レンズ  焦点距離                        
1      -35.85                         
2      -29.70                         
3      -84.70                         
4       42.83                         
5      -26.05                         
6       17.76                         
7       14.50                         
8       -8.19                         
9       11.61                         
10      34.24                         
11     -16.91                         
【００８９】
［数値データ２］
面データ                              
面番号      r          d          nd          νd       θCt
1        18.496      0.9       1.88300       40.8      0.740 
2         7.973      6.73                  
3       -27.006      0.6       1.69560       59        0.822 
4        13.706      0.96                  
5        12.818      1.77      1.85478       24.8      0.674 
6        20.233      0.98                  
7       141.349      1.9       1.80809       22.8      0.660 
8       -39.218      (可変)                  
9        -9.267      1.5       1.51823       58.9      0.819 
10      -23.31      (可変)                  
11(絞り)   ∞        0.3                  
12*       9.478      3.53      1.55332       71.7      0.816 
13*    -258.326      0.17                  
14       13.708      3.86      1.43700       95.1      0.843 
15      -17.129      0.45      1.69895       30.1      0.697 
16       15.507      0.15                  
17*       7.102      4.33      1.55332       71.7      0.816 
18*      -9.173      (可変)                  
19        8.799      0.41      1.72151       29.2      0.690 
20        5.136      (可変)                  
21         ∞         2        1.51633       64.1      
像面       ∞         1.43               
【００９０】
非球面データ                              
第12面                              
K = 0.00000e+000  A 4=-1.87419e-004  A 6= 1.89535e-006    
A 8= 1.10399e-008  A10=-1.57720e-009  A12= 4.37354e-011
第13面                              
K = 0.00000e+000  A 4=-3.30143e-004  A 6= 1.41244e-005  
A 8=-2.54797e-007  A10= 3.94749e-009              
第17面                              
K = 0.00000e+000  A 4=-1.30430e-003  A 6= 2.76606e-006 
A 8=-1.39933e-007  A10=-3.24081e-009              
第18面                              
K = 0.00000e+000  A 4= 4.33650e-004  A 6=-1.50558e-005    
A 8= 3.68739e-007  A10=-5.84152e-009  A12=-8.37516e-021
各種データ                              
ズーム比    2.3                              
広角      中間      望遠            
焦点距離      2.60       4.11      6.00            
Fナンバー     1.28       1.43      1.64            
半画角（度） 77.20      41.90     28.30            
像高          3.04       3.04      3.04            
レンズ全長   53.23      45.58     40.52            
BF（in air）  5.25       5.00      6.32            
d 8           2.08       5.33      0.69            
d10          15.78       3.17      1.04            
d18           0.90       2.86      3.26            
d20           2.50       2.25      3.56      
各群焦点距離                              
群      焦点距離                        
1      -12.07                        
2      -30.81                        
3        8.57                        
4      -17.95                        
単レンズデータ                              
レンズ  焦点距離                        
1      -16.54                         
2      -12.99                         
3       36.87                         
4       38.17                         
5      -30.81                         
6       16.60                         
7       18.11                         
8      -11.58                         
9        7.99                         
10     -17.95                         
【００９１】
［数値データ３］
面データ                              
面番号      r          d          nd          νd       θCt
1        27.872      1.35      1.90043       37.4      0.722 
2        13.037      11.61                  
3       -36.962      1.05      1.90043       37.4      0.722 
4        18.754      1.59                  
5        31.084      3.2       1.92286       18.9      0.637 
6        70.018      0.99                  
7        30.941      4.59      1.85478       24.8      0.674 
8       109.067      (可変)                  
9(絞り)    ∞         (可変)                  
10*      13.72       5.57      1.55332       71.7      0.816 
11*    -117.438      0.26                  
12       32.832      5.68      1.43700       95.1      0.843 
13      -18.656      0.45                  
14      -17.27       0.75      1.73800       32.3      0.715 
15       72.111      0.75                  
16*      17.496      5.11      1.55332       71.7      0.816 
17*     -13.309      (可変)                  
18       15.756      0.68      1.80809       22.8      0.660 
19        8.094      (可変)                  
20        ∞          2        1.51633       64.1      
像面      ∞          2.18              
【００９２】
非球面データ                              
第10面                              
K = 0.00000e+000  A 4=-3.96745e-005  A 6= 2.63499e-007  
A 8=-1.12658e-009  A10= 1.78443e-011  A12= 2.05813e-021  
第11面                              
K = 0.00000e+000  A 4=-2.02684e-005  A 6= 9.94170e-007  
A 8=-4.60023e-009  A10= 3.74053e-011              
第16面                              
K = 0.00000e+000  A 4=-2.88302e-004  A 6=-1.39776e-006  
A 8= 3.45138e-008  A10=-7.62529e-010              
第17面                              
K = 0.00000e+000  A 4= 3.03245e-005  A 6=-1.01871e-006 
A 8= 7.73736e-009  A10=-2.72249e-010              
各種データ                              
ズーム比    2.6                              
広角      中間      望遠            
焦点距離      3.82      6.82      9.90            
Fナンバー     1.35      1.90      2.40            
半画角（度） 78.10     37.40     25.30            
像高          4.50      4.50      4.50            
レンズ全長   99.26     73.08     64.26            
BF（in air）  8.46      9.04      9.69            
d 8          39.17     12.98      4.17            
d 9           6.00      3.50      1.00            
d17           1.35      3.26      5.12            
d19           4.96      5.55      6.19        
各群焦点距離                              
群    焦点距離                        
1      -13.22                        
2       14.05                        
3      -21.44                        
単レンズデータ                              
レンズ 焦点距離                        
1      -28.43                         
2      -13.69                         
3       58.28                         
4       49.20                         
5       22.54                         
6       28.17                         
7      -18.81                         
8       14.52                         
9      -21.44                         
【００９３】
［数値データ４］
面データ                              
面番号      r          d          nd          νd       θCt
1        23.237      0.9       1.90043       37.4      0.722 
2         9.034      6.95                  
3       -21.122      0.7       1.91082       35.3      0.713 
4        14.83       1.1                  
5        29.738      4.46      1.95906       17.5      0.626 
6      -764.966      0.15                  
7        20.627      2.55      1.85478       24.8      0.674 
8        38.636      (可変)                  
9(絞り)    ∞        (可変)                  
10*       9.687      3.36      1.55332       71.7      0.816 
11*    -275.427      0.17                  
12       18.553      4.2       1.43700       95.1      0.843 
13      -12.459      0.54                  
14      -11.316      0.5       1.73800       32.3      0.715 
15       38.757      0.54                  
16*      11.645      3.6       1.55332       71.7      0.816 
17*      -8.871      (可変)                  
18        6.583      0.5       1.89286       20.4      0.646 
19        4.504      2.5                  
20         ∞        2          1.51633       64.1      
像面       ∞        1.88                
【００９４】
非球面データ                              
第10面                              
K = 0.00000e+000  A 4=-1.01331e-004  A 6= 2.34520e-006 
A 8=-2.70658e-008  A10= 9.38847e-010  A12= 1.78026e-019  
第11面                              
K = 0.00000e+000  A 4=-2.07516e-005  A 6= 6.69887e-006 
A 8=-7.24485e-008  A10= 1.84979e-009              
第16面                              
K = 0.00000e+000  A 4=-8.90032e-004  A 6=-1.08484e-006  
A 8= 4.36888e-008  A10=-1.07330e-008              
第17面                              
K = 0.00000e+000  A 4= 1.02345e-004  A 6=-3.17024e-006 
A 8=-4.70198e-008  A10=-3.84119e-009              
各種データ                              
ズーム比    2.3                              
広角      中間        望遠            
焦点距離      2.59       4.28       5.97             
Fナンバー     1.24       1.45       1.68             
半画角（度） 77.20      40.20      28.20             
像高          3.04       3.04       3.04             
レンズ全長   65.98      50.37      44.45             
BF（in air）  5.70       5.70       5.70             
d 8          24.93       9.32       3.40             
d 9           3.54       2.04       0.54             
d17           0.90       2.40       3.90                                           
各群焦点距離                              
群    焦点距離                        
1      -8.78                        
2       9.98                        
3     -18.03                        
単レンズデータ                              
レンズ 焦点距離                        
1      -16.92                        
2       -9.48                        
3       29.93                        
4       48.6                        
5       16.98                        
6       17.79                        
7      -11.82                        
8        9.71                        
9      -18.03                        
【００９５】
【表１】
2019061005.tif 000004
【符号の説明】
【００９６】
Ｌ０  ズームレンズ      ＬＭ  中間群      ＬＲ  最終レンズ群
ｎｒ  レンズ要素      Ｌ１  第１レンズ群      Ｌ２  第２レンズ群
Ｌ３  第３レンズ群      Ｌ４  第４レンズ群
【図１】
2019061005.tif 000005
【図２】
2019061005.tif 000006
【図３】
2019061005.tif 000007
【図４】
2019061005.tif 000008
【図５】
2019061005.tif 000009
【図６】
2019061005.tif 000010
【図７】
2019061005.tif 000011
【図８】
2019061005.tif 000012
【図９】
2019061005.tif 000013
【図１０】
2019061005.tif 000014
【図１１】
2019061005.tif 000015
【図１２】
2019061005.tif 000016